(57)【要約】【課題】病院、レストラン、工場等業務用の廃棄物の容積を圧縮するとともに、圧縮した状態で結束することにより容易に減少させて廃棄処分に要する費用の削減を図るようにする。【効果】容積が減少可能な処理室の底面上にバンドの一端を保持し、当該バンドの中程及び他端を側壁及び天板に離脱可能に沿わせて仮止めするようにした。これにより、処理室の圧縮状態を保持しながらバンドを結束することができて、簡単に廃棄物の容積を減少させることができるようになり、目的を達成することが出来た。【選択図】図１
2006036496.tif 000002
【特許請求の範囲】
【請求項１】
容積が減少可能な処理室１に廃棄物１４を収納して圧縮し、処理室１の圧縮状態を保持しながらバンド８を結束することを特徴とする廃棄物の容積減少方法。
【請求項２】
容積が減少可能な処理室１の底面3上にバンド８の下端部を保持し、処理室１の側壁７及び天板１０に当該バンド８の中程及び上端部を離脱可能に沿わせて仮止めするようにして成ることを特徴とする廃棄物の容積減少装置。
【請求項３】
容積が減少可能な処理室１の底面３上にバンド８の下端部を保持し、処理室１の側壁７及び天板１０に、当該バンド８の中程と上端部を処理室１の内外に連通させるスリット１１、１２を施して成ることを特徴とする廃棄物の容積減少装置。
【請求項４】
天板１０上面のスリット１２近傍にバンド８の仮止め部１３を設けたことを特徴とする請求項３に記載の廃棄物の容積減少装置。
【請求項５】
廃棄者より廃棄物１４を回収し、容積が減少可能な処理室１にその廃棄物１４を収納して圧縮し、処理室１の圧縮状態を保持しながらバンド８を結束し、然る後にその容積が減少された廃棄物１４を事業者に戻すことを特徴とする廃棄物の容積減少システム。
【発明の詳細な説明】
【技術分野】
【０００１】
本発明は、ゴミの容積減少装置に関するものである。
【背景技術】
【０００２】
現在、廃棄物はゴミ袋に封入して廃棄処分業者に引き取ってもらうことが多い。そしてその廃棄処分に要するコストは一般に容積に比例するので、廃棄物を圧縮して容積を減少させれば良いのであり、種々研究もされてきている。
【０００３】
ゴミ容積を減少させるものとして、例えば特許公開２００１−１９９５０３等が提案されているが、作業性が低い上に、圧縮したものが時間の経過とともに相当量戻って膨れてしまう欠点があった。これを防ぐためにはバンドなどで結束すれば良いが、押さえ付けながら結束を行わなければならず、大きな労力を要するものであった。
【特許文献１】特許公開２００１−１９９５０３
【発明の開示】
【発明が解決しようとする課題】
【０００４】
本発明は、主として、廃棄物の容積減少方法と装置を提供するものである。
【課題を解決するための手段】
【０００５】
本発明の主たる特徴は、ゴミ袋などに収納された嵩高い廃棄物を圧縮し、圧縮した状態を保持しながら緊締し結束することを特徴とする。
【発明の効果】
【０００６】
本発明にあっては上述のように、現場で袋に詰められて廃棄されるゴミを圧縮して容積を減少させて、廃棄コストを低減できるものである。
【０００７】
殊に、ゴミが詰め込まれた袋を圧縮した状態でバンド（紐）掛けを容易に行なえるようにするものである。
【発明を実施するための最良の形態】
【０００８】
以下、本発明を実施例に基づき詳細に説明する。図１は装置の概略を示すもので、筒状の処理室１の下方にパワーシリンダのような駆動装置２が配置され、処理室１の底板３がパワーシリンダ２により上下に移動可能に設定される。処理室１は前方に開閉自在な扉４を有する。５はヒンジ、６は扉４を閉じた時にロックするフック、２０はそのフック６が係合する金具である。駆動装置２は上記シリンダのストロークに拠るものの他、スクリューの回転によるものでも良いし、トグル機構を用いた機械式のものでも良く、底板３を移動させられるものであれば任意の機構を用いることができる。１５は駆動装置２の操作盤である。
【０００９】
底板３は扉４を閉じてロックした状態で天板７に向かって移動自在であり、底板３の上面には廃棄物締付け用のバンド８を保持する溝９が必要に応じて施されている。図３（ａ）の例では前後方向の溝９が左右に２本略平行に施されているが、その他、（ｂ）のように中央に１本施してもよいし、（ｃ）のように斜め方向から２本クロスさせても良い。勿論３本以上の溝９を施しても構わない。バンド８は勿論紐でも同等であり、結束に戻り止めを有するものが好適である。溝９を設けない場合は、扉４を一番下に下げた時に扉４の開口下縁の上端がその底板３よりもやや高くなるようにし、その開口下縁に切欠２９を設けてバンド８の先端を仮止め保持できる。勿論、溝９と切欠き２９は必須ではなく、いずれもなくても構わない。
【００１０】
処理室１の側壁１０と天板７にはスリット１１、１２が施され、図４のように天板７の上面にはスリット１２近傍にバンド８の仮止め部１３が設けられている。そして図２のように底板３に下端部が保持されたバンド８はスリット１１、１２より処理室１の外方に出て上端部が仮止め部１３に保持されて底板３が上下する。
【００１１】
尚、図示例はスリット１１、１２でバンド８の一部が処理室１の外方に出るようにしたが、側壁１０の内側と天板７の下方に沿ってバンド８を摺動可能に保持する溝状の仮止め部を施すこともできる。
【００１２】
処理室１と駆動装置２は図１、図５のようにフランジ１６、１７を接合して連結される。１８は脚で、ベース１９により地面や床面等の土台に固定される。
【００１３】
しかして本装置で廃棄物１４を処理するに当っては、先ず図４（ａ）のように底板３を一番下に下ろして扉４を開け、バンド８をセットする。この時、バンド８は下端部は底板３に保持され、中程部分はスリット１１より側壁１０の外に出ており、上部は天板７のスリット１２より上方に出て仮止め部１３に保持されていて、バンド８の中程と上端部は処理室１内周と廃棄物１４に挟み付けられないようになっている。この状態で同図（ｂ）のように廃棄物１４を処理室１に収納して扉４を閉じる。
【００１４】
次いで駆動装置２を操作して同図（ｃ）のように底板３を上昇させる。この時、バンド８の中程は底板３の上昇に伴い撓むが、側壁１０にスリット１１を施さない場合は、側壁１０にバンド８に比して幅広の溝を施すなどしてバンド８の逃げ場所を設けておけば良い。そして底板３を所定のストロークだけ上昇させた状態で同図（ｄ）のようにバンド８を結束し、次いで底板３を降下させ、扉４を開き、バンド８で結束されて容積が小さくなった廃棄物１４を取り出して廃棄処分される。この場合、所定のストローク分だけ底板３が移動した状態をセンサでキャッチし、バンド８を自動的に結束出来るようにすると尚良い。
【００１５】
図５、図６は上記例とは逆に、底板３を固定して天板７を駆動装置２により上下させるようにしたもので、バンド８は図７のようにクロスしてセットしたものが例示されている。バンド８は、勿論他の掛け方でも構わない。この場合では、図８（ａ）のように天板７を最上位置にしてバンド８をセットし、（ｂ）のように廃棄物１４を収納し、（Ｃ）のように天板７を降下させ、（ｄ）のようにバンド８を結束して容積が小さくなった廃棄物１４を取り出すことができる。
【００１６】
また、上記例では処理室１を上下から圧縮する例を示したが、横置きにして左右から圧縮するようにしても良いし、斜めに圧縮するようにすることもできる。
【００１７】
更に、廃棄物１４は水分や薬液分を含み、圧縮すると廃棄物１４を収納した袋から滲み出る場合がある。このような場合は、周辺の汚損防止のため、底板３の下方に液受け皿を施すことができる。
【００１８】
尚、上記例ではいずれも処理室１を圧縮した状態でバンド８を締め付けて結束ができるように、バンド８に逃げ場を設けたが、処理室１の圧縮状態で廃棄物１４の反発力で底板３、側壁７、天板１０のいずれにもバンド８が密着してしまう場合には、処理室1を所定量圧縮後、一旦処理室１を僅かに戻して廃棄物１４の圧縮を緩めてバンド８を引き寄せ、その状態で再度処理室１を所定量締付けながらバンド８を結束すればよい。
【産業上の利用可能性】
【００１９】
本発明にあっては、廃棄物を圧縮し容積を減少させるので、容積に比例する廃棄物の膨大な処分費用を半減乃至数分の１に減少できる利点がきる。また、それに伴い廃棄物の処分業者に引き渡すまでの一時保管のスペースも減少し、処分の回数も減少できる。
【００２０】
また、本発明では、廃棄物を単に圧縮するだけでなく、バンドを掛けて結束するので、圧縮処理後に膨れて戻ることがなく、しかも圧縮バンドの結束は廃棄物を圧縮状態に保持しながら行えるので、足で踏み付けるなどの過大な労力を要することなく簡単にバンドを結束して安全、迅速かつ確実に処理できるので作業性が向上する。
【００２１】
更に、単に廃棄物の周りにバンドを掛けて処理室で圧縮しても、圧縮時には廃棄物と処理室内壁にバンドが圧迫されてバンドを締め付けることが困難となるが、本発明では、バンドの中程及び他端を処理室の側壁及び天板に離脱可能に沿わせて仮止めするようにしたので、廃棄物を圧縮した状態に保持しながらバンドを締付け結束できて、バンドの結束作業が容易である。
【００２２】
また、大きな病院などの事業所では大量の廃棄物が毎日大量に生じるので、自身で装置を備え自身で処理をするので採算が合うが、小さな個人診療所などでは装置を自身で備えてするのでは負担が掛かりすぎる。こんな場合、本発明の処理システムに拠れば、自身で装置を備えて廃棄物の処理を負担せず、外注に委託して身軽に廃棄物の容積減少の恩恵に浴せる。この場合、巡回車等に装置全体を積み込んで巡回すれば、廃棄物１４を圧縮作業のために一旦引き取ることなく、巡回しながらその場で圧縮・結束処理を行って依頼者に即座に渡すことができて、大量の廃棄物を一時保管したり、配送したりする手間が省ける。
【図面の簡単な説明】
【００２３】
【図１】本発明の一実施例の装置の正面図。
【図２】図１のＡ−Ａ断面矢視図。
【図３】図１のＢ−Ｂ断面矢視図。
【図４】（ａ）〜（ｄ）は同上の作用説明図。
【図５】本発明の他の実施例の装置の正面図。
【図６】図５のＡ−Ａ断面矢視図。
【図７】図５のＢ−Ｂ断面矢視図。
【図８】（ａ）〜（ｄ）は同上の作用説明図。
【符号の説明】
【００２４】
１      処理室
３      底板
７      側壁
８      バンド
９      溝
１０    天板
１１    スリット
１２    スリット
１３    仮止め部
１４    廃棄物
【図１】
2006036496.tif 000003
【図２】
2006036496.tif 000004
【図３】
2006036496.tif 000005
【図４】
2006036496.tif 000006
【図５】
2006036496.tif 000007
【図６】
2006036496.tif 000008
【図７】
2006036496.tif 000009
【図８】
2006036496.tif 000010